(57)【要約】【課題】複数の給湯装置を備えて効率的な運転が行える給湯システムを提供する。【解決手段】複数台の給湯装置２０１〜２０３を備え、これら給湯装置によって加熱された加熱上水を循環させる循環経路２２６、２１５、２２０、２２４と、この循環経路にバイパス管２１９を分岐して形成され、加熱上水を還流させる還流路２１５と、この還流路に設置されて加熱上水を圧送する循環ポンプ２１７と、バイパス管側への加熱上水の分岐流量を調整し、加熱上水の温度が高い場合にバイパス管側への分岐流量を増大させる流路調整弁２１８と、還流路から分岐されて加熱上水を出湯させる出湯口と、給湯装置の運転台数を切り替える制御手段とを備え、加熱上水の温度が高い場合には、バイパス管側への分岐流量を増大させ、加熱上水の温度が低い場合には、バイパス管側への分岐流量を減少させる流路調整弁の流量調整に応じて給湯装置の運転台数を変更する。【選択図】        図１
2006078173.tif 000002
【特許請求の範囲】
【請求項１】
複数台の給湯装置を備えて給湯する給湯システムであって、
前記給湯装置によって加熱された加熱上水を循環させる循環経路と、
この循環経路にバイパス管を分岐して形成され、前記加熱上水を前記給湯装置と分離して還流させる還流路と、
この還流路に設置されて前記加熱上水を圧送する循環ポンプと、
前記バイパス管側への前記加熱上水の分岐流量を調整し、前記加熱上水の温度が高い場合に前記バイパス管側への分岐流量を増大させる流路調整弁と、
前記還流路から分岐されて前記加熱上水を出湯させる出湯口と、
前記給湯装置の運転台数を切り替える制御手段と、
を備え、前記加熱上水の温度が高い場合には、前記バイパス管側への分岐流量を増大させ、前記加熱上水の温度が低い場合には前記給湯装置の運転台数を増加させることを特徴とする給湯システム。
【請求項２】
複数台の給湯装置を備えて給湯する給湯システムであって、
前記給湯装置に個別に設けられて通水を切り換える通水弁と、
前記給湯装置の入水量を検出する入水量センサと、
前記給湯装置の入水温度を検出する入水温センサと、
前記給湯装置の出湯温度を検出する出湯温センサと、
前記給湯装置に設置されてバーナの燃焼により、通水を加熱する熱交換器と、
上水管に接続されて前記上水管から上水が供給されるとともに、この上水に前記給湯装置で加熱された加熱上水を合流させ、該加熱上水を前記通水弁が開かれている前記給湯装置に循環させる循環経路と、
この循環経路にバイパス管を接続して形成され、前記加熱上水を前記給湯装置と分離して還流させる還流路と、
この還流路から分岐されて前記加熱上水を出湯させる出湯口と、
前記還流路側の前記循環経路に設置されて前記加熱上水を圧送する循環ポンプと、
前記バイパス管側への前記加熱上水の分岐流量を調整し、前記加熱上水の温度が高い場合に前記バイパス管側への分岐流量を増大させる流路調整弁と、
前記給湯装置に設置され、前記入水量センサの検出入水量、前記入水温センサの検出入水温度、前記出湯温センサの検出出湯温度、出湯設定温度を用いて前記バーナに供給する燃料量を演算し、その燃料量を前記バーナで燃焼させる制御部と、
この制御部と連携されるとともに、前記給湯装置に供給される全入水量を用いて前記給湯装置の運転台数を演算し、その演算結果に基づいて前記通水弁を切り換えることにより、前記運転台数だけ前記給湯装置の前記制御部に運転指令を発する主制御部と、
を含むことを特徴とする給湯システム。
【請求項３】
請求項１の給湯システムにおいて、
前記加熱上水の温度が低い場合には、前記バイパス管側への分岐流量を減少させる前記流路調整弁の流量調整に応じて前記給湯装置の運転台数を変更することを特徴とする給湯システム。
【請求項４】
請求項２の給湯システムにおいて、
前記加熱上水の温度が高い場合には、前記バイパス管側への分岐流量を増大させ、前記加熱上水の温度が低い場合には、前記バイパス管側への分岐流量を減少させる前記流路調整弁の流量調整に応じて前記給湯装置の運転台数を変更することを特徴とする給湯システム。
【請求項５】
請求項１又は２の給湯システムにおいて、
前記流路調整弁は、前記バイパス管と前記循環経路との分岐部に設置されたことを特徴とする給湯システム。
【請求項６】
請求項１又は２の給湯システムにおいて、
前記流路調整弁は、
前記加熱上水の温度を検出して伸縮するサーモワックスエレメントと、
このサーモワックスエレメントの伸縮により開度が調整される弁体と、
を備えることを特徴とする給湯システム。
【発明の詳細な説明】
【技術分野】
【０００１】
本発明は、ホテル、病院、公共施設等で用いられる大型の給湯システムに関する。
【背景技術】
【０００２】
従来の給湯装置としてはボイラーが一般的であり、ボイラーで加熱した湯水を循環ポンプで各給湯設備に循環させ、例えば各給湯設備に設けた蛇口から出湯するように構成していた。
【０００３】
ところで、ホテル、病院、公共施設等で用いるボイラーは大型のものが必要であるが、大型のボイラーは出湯する湯水の温度が安定せず、また燃料使用量が多くなるという欠点を有している。
【０００４】
そこで、このような問題を解決するために、温度制御のしやすい容量の小さな給湯装置を複数台並設し、各給湯装置に湯水を循環しながら加熱供給するように構成した給湯システム（特許文献１）が提案されている。
【特許文献１】特開平４−３９５３７号公報
【発明の開示】
【発明が解決しようとする課題】
【０００５】
しかしながら、前記給湯システムの場合、設定温度まで湯水を加熱して燃焼を停止している給湯装置の熱交換器にも常時循環湯水が流れており、非燃焼時にこの熱交換器から循環湯水の熱が外部へ逃がされてしまい、熱効率が悪く、湯水の温度低下が早いという欠点があった。このため、従来の給湯システムでは、給湯装置の燃焼と消火が頻繁に繰り返され、燃料使用量が多くなるとともに装置の傷みも早いという問題があった。
【０００６】
このような問題を解決するため、熱効率を改善して燃料使用量を低減するとともに装置の寿命を延ばし、長期間にわたって安定した湯水の供給を行なうことができる給湯システムが要望されている。
【０００７】
そこで、本発明は、複数の給湯装置を備えて効率的な運転が行える給湯システムを提供するものである。
【課題を解決するための手段】
【０００８】
上記課題を解決するため、本発明の給湯システムの構成は、以下の通りである。
【０００９】
本発明の給湯システムの第１の側面は、複数台の給湯装置を備えて給湯する給湯システムであって、前記給湯装置によって加熱された加熱上水を循環させる循環経路と、この循環経路にバイパス管を分岐して形成され、前記加熱上水を前記給湯装置と分離して還流させる還流路と、この還流路に設置されて前記加熱上水を圧送する循環ポンプと、前記バイパス管側への前記加熱上水の分岐流量を調整し、前記加熱上水の温度が高い場合に前記バイパス管側への分岐流量を増大させる流路調整弁と、前記還流路から分岐されて前記加熱上水を出湯させる出湯口と、前記給湯装置の運転台数を切り替える制御手段とを備え、前記加熱上水の温度が高い場合には、前記バイパス管側への分岐流量を増大させ、前記加熱上水の温度が低い場合には前記給湯装置の運転台数を増加させる構成である。
【００１０】
この給湯システムにおいて、前記加熱上水の温度が低い場合には、前記バイパス管側への分岐流量を減少させる前記流路調整弁の流量調整に応じて前記給湯装置の運転台数を変更する構成としてもよい。
【００１１】
本発明の給湯システムの第２の側面は、複数台の給湯装置を備えて給湯する給湯システムであって、前記給湯装置に個別に設けられて通水を切り換える通水弁と、前記給湯装置の入水量を検出する入水量センサと、前記給湯装置の入水温度を検出する入水温センサと、前記給湯装置の出湯温度を検出する出湯温センサと、前記給湯装置に設置されてバーナの燃焼により、通水を加熱する熱交換器と、上水管に接続されて前記上水管から上水が供給されるとともに、この上水に前記給湯装置で加熱された加熱上水を合流させ、該加熱上水を前記通水弁が開かれている前記給湯装置に循環させる循環経路と、この循環経路にバイパス管を接続して形成され、前記加熱上水を前記給湯装置と分離して還流させる還流路と、この還流路から分岐されて前記加熱上水を出湯させる出湯口と、前記還流路側の前記循環経路に設置されて前記加熱上水を圧送する循環ポンプと、前記バイパス管側への前記加熱上水の分岐流量を調整し、前記加熱上水の温度が高い場合に前記バイパス管側への分岐流量を増大させる流路調整弁と、前記給湯装置に設置され、前記入水量センサの検出入水量、前記入水温センサの検出入水温度、前記出湯温センサの検出出湯温度、出湯設定温度を用いて前記バーナに供給する燃料量を演算し、その燃料量を前記バーナで燃焼させる制御部と、この制御部と連携されるとともに、前記給湯装置に供給される全入水量を用いて前記給湯装置の運転台数を演算し、その演算結果に基づいて前記通水弁を切り換えることにより、前記運転台数だけ前記給湯装置の前記制御部に運転指令を発する主制御部とを含む構成である。
【００１２】
この給湯システムにおいて、前記加熱上水の温度が高い場合には、前記バイパス管側への分岐流量を増大させ、前記加熱上水の温度が低い場合には、前記バイパス管側への分岐流量を減少させる前記流路調整弁の流量調整に応じて前記給湯装置の運転台数を変更する構成としてもよい。
【００１３】
斯かる構成とすれば、加熱上水の出湯流量に応じて給湯装置の運転台数が変わるので、余分の給湯装置が無駄に燃焼されるようなことがなくなり、燃料使用量を低減することができる。
【００１４】
また、循環経路を一巡して還流してくる加熱上水の温度が給湯装置で再加熱する必要がない程に高温の場合には、循環経路を還流する加熱上水のほとんどがバイパス管を通じてバイパスされるため、加熱上水が給湯装置へ還流されることがほとんどなくなる。このため、従来のように還流する高温の加熱上水の熱が給湯装置の熱交換器から外部へ放熱されるようなことがなくなり、循環する加熱上水の湯温低下を防止することができる。
【００１５】
これら給湯システムにおいて、前記流路調整弁は、前記バイパス管と前記循環経路との分岐部に設置された構成としてもよい。
【００１６】
これら給湯システムにおいて、前記流路調整弁は、前記加熱上水の温度を検出して伸縮するサーモワックスエレメントと、このサーモワックスエレメントの伸縮により開度が調整される弁体とを備える構成としてもよい。
【００１７】
斯かる構成とすれば、流路調整弁の弁開度を加熱上水の温度に応じて可変制御するための特別の制御手段や回路が全く不要となり、装置をより簡潔に構成することができる。
【発明の効果】
【００１８】
本発明によれば、次のような効果が得られる。
【００１９】
(1)   加熱上水の出湯流量に応じて給湯装置の運転台数を変えることができ、余分の給湯装置が無駄に燃焼されるようなことがなくなるため、燃料使用量を低減することができる。
【００２０】
(2)   循環経路を一巡して還流してくる加熱上水の温度が再加熱する必要がない程に高温の場合には、循環経路を還流する加熱上水のほとんどがバイパス管を通じてバイパスされるため、加熱上水が給湯装置へ還流されることが低減されて高温の加熱上水の熱が給湯装置の熱交換器から外部へ放熱されるようなことがなく、循環する加熱上水の湯温低下が防止され、熱効率が改善される。
【００２１】
(3)   燃料使用量を低減することができるとともに装置の寿命を延ばすことができ、長期間に亘って安定した湯水の供給を行なうことができる。
【００２２】
(4)   流路調整弁は、加熱上水の温度を検出して伸縮するサーモワックスエレメントと、このサーモワックスエレメントの伸縮により開度が調整される弁体とを備える構成とすれば、流路調整弁の弁開度を加熱上水の温度に応じて可変制御するための特別の制御手段や回路が不要となり、装置の簡略化、低コスト化を図ることができる。
【発明を実施するための最良の形態】
【００２３】
以下、本発明の実施の形態について、図面を参照して説明する。図１に、本発明に係る給湯システムの一例を示す。なお、この図１の例は、３台の給湯装置２０１〜２０３を併設した場合の一例を示すものである。
【００２４】
図において、第１給湯装置２０１は、熱交換器２０７と、この熱交換器２０７を加熱するためのバーナ２１１とを備えている。熱交換器２０７の入水端は入水量センサ２０６、入水温センサ２０５を介して入水管２０４に接続され、熱交換器２０７の出湯端は出湯温センサ２０８、通水弁２０９を介して出湯管２１０に接続されている。また、バーナ２１１には燃料元弁２１２、燃料比例弁２１３を介して燃料が供給されている。
【００２５】
第２給湯装置２０２及び第３給湯装置２０３も、前記第１給湯装置２０１と全く同様の構成になる。なお、この図１の例では、３台の給湯装置を併設したが、併設台数は使用する最大上水量に応じて決定されるものである。
【００２６】
各給湯装置２０１〜２０３の入水管２０４はそれぞれ給水管２２４に接続されており、この給水管２２４、上水供給管２２３、逆止弁２２２、給水ポンプ２２１を通じて上水が供給される。
【００２７】
一方、各給湯装置２０１〜２０３の出湯管２１０はそれぞれ給湯管２２６に接続されており、前記給湯管２２６、還流管２１５、循環ポンプ２１７、回収管２２０、給水管２２４の経路によって加熱上水が一巡して還流する循環経路が構成されている。
【００２８】
給水ポンプ２２１は、受水槽等に貯溜された上水を所定の圧力で前記循環経路に供給するもので、前記循環経路内の加熱上水が蛇口２２７等から外部に取り出されたとき等に生じる圧力低下に応じて適切な量の上水を前記循環経路に補給するものである。また、前記循環経路には逆止弁２１４、２２５を設け、逆流を防止している。
【００２９】
２１９は回収管２２０と還流管２１５を結ぶバイパス管であり、その分岐点には回収管２２０側に還流する流量とバイパス管２１９側に分流する流量を調節する流路調整弁２１８が設けられている。
【００３０】
なお、各給湯装置単体には所定温度まで加熱して出湯することのできる最大有効出湯量があり、給湯システム全体として必要な最大出湯量を満足させるに足る台数の給湯装置が併設される。例えば、給湯装置単体の最大有効出湯量が１０リットル／分であり、給湯システム全体としての必要な最大出湯量が３０リットル／分であれば、給湯装置は図示したように３台併設されることになる。
【００３１】
また、循環ポンプ２１７にて循環させる上水の循環流量は、３台の給湯装置２０１〜２０３が一斉に燃焼を繰り返してその燃料使用量が増大することを防止するために、通常３台の給湯装置のうちの１台または２台が動作する程度の流量で循環させる。この循環する加熱上水は循環経路内を循環するのみであるため、放熱による損失を補う程度に加熱されればよい。
【００３２】
また、蛇口２２７等から外部に上水が出湯された場合は、循環経路内の圧力損失が開放されて流量規制が解除されるので、外部への出湯量に応じて新しい上水が給水ポンプ２２１によって補給され、さらにこの時の出湯流量に見合う台数の給湯装置が動作される。
【００３３】
図２は、前記給湯システム２００の電気回路のブロック図である。主制御装置３００は装置全体の動作を制御するもので、各給湯装置２０１〜２０３の制御部３０１〜３０３と、外部リモコン装置３０４が接続されている。主制御装置３００は、各制御部３０１〜３０３から送られてくる温度、水量等の検出データを受け取り、各制御部３０１〜３０３に動作指令を与える。各制御部３０１〜３０３は、この動作指令に基づき、それぞれの給湯装置の通水弁２０９、燃料元弁２１２、燃料比例弁２１３等に駆動指令を与える。
【００３４】
図３は、前記主制御装置３００及び外部リモコン装置３０４の詳細なブロック図である。主制御装置３００には、ＣＰＵ３１０、インターフェース用のＩ／Ｏ装置３１１、データや各種情報を一時記憶するためのＲＡＭ３１２、全体の動作を制御する制御プログラムや各種制御データが格納されたＲＯＭ３１３、故障警告データ等を格納するためのＥＥＰＲＯＭ３１４が設けられている。さらに、Ｉ／Ｏ装置３１１には、各制御部３０１〜３０３との間でデータの送受を行なう送受信装置３１５〜３１７、外部リモコン装置３０４との間で通信を行なうための送受信回路３１８が接続されている。
【００３５】
外部リモコン装置３０４には、ＣＰＵ３２０、Ｉ／Ｏ装置３２１、ＲＡＭ３２２、ＣＰＵ３２０を動作させるためのプログラムが格納されているＲＯＭ３２３が設けられている。さらにＩ／Ｏ装置３２１には、運転スイッチ３２７のための起動回路３２４、上水の温度を設定する温度設定スイッチ３２８のための温度設定回路３２５、設定温度、各種故障警報等の情報を報知する表示装置３２９を駆動するための表示回路３２６が接続されている。
【００３６】
図４は、給湯装置２０１（２０２、２０３）の制御部３０１（３０２、３０３）の詳細なブロック図である。制御部３０１（３０２、３０３）には、ＣＰＵ３３０、Ｉ／Ｏ装置３３１、ＣＰＵ３３０に接続されたＡ／Ｄ変換器３３２、３３３、データや各種情報を一時記憶するためのＲＡＭ３３４、動作を制御する制御プログラムや各種制御データが格納されたＲＯＭ３３５が設けられている。Ａ／Ｄ変換器３３２、３３３には、入水管２０４から熱交換器２０７に流入する上水の温度を検出する入水温センサ２０５と、熱交換器２０７から出湯管２１０に出湯される加熱後の上水の温度を検出するための出湯温センサ２０８が接続されている。
【００３７】
Ｉ／Ｏ装置３３１には、通水弁２０９を駆動する通水弁駆動回路３３６、燃料元弁２１２を駆動する燃料元弁駆動回路３３７、燃料比例弁２１３を駆動する燃料比例弁駆動回路３３８、入水量センサ２０６で検出した熱交換器２０７への流量信号を制御に適した波形信号に変換する波形整形回路３３９、主制御装置３００との間でデータの送受を行なう送受信回路３４０が接続されている。
【００３８】
次に、前記構成からなる給湯システム２００の動作を説明する。まず、主制御装置３００は、第１給湯装置２０１に動作指令を出す。第１給湯装置２０１の制御部３０１は、この動作指令によって通水弁２０９を開かせる。すると給水管２２４、入水管２０４を通って上水が熱交換器２０７に入水され、出湯管２１０より出水される。この上水の流入を入水量センサ２０６にて検出し、バーナ２１１の点火動作に移行するとともに、検出した入水量を主制御装置３００に送信する。
【００３９】
主制御装置３００は、第１給湯装置２０１から送られてくる入水量を基に動作させるべき給湯装置の台数を演算する。例えば、給湯装置１台の最大有効出湯量が１０リットル／分で入水量が３０リットル／分の場合には、３台の給湯装置を駆動する必要があると判断し、第２給湯装置２０２、第３給湯装置２０３にも運転指令を送信する。これにより、第２給湯装置２０２と第３給湯装置２０３も運転を開始する。
【００４０】
主制御装置３００から設定温度が各給湯装置の制御部３０１、３０２、３０３に送信され、各制御部はその設定温度をＲＡＭ３３４に格納し、それぞれにて検出される入水温度、入水量、出湯温度と記憶された設定温度とを基にそれぞれのバーナ２１１に供給する燃料量を演算し、各燃料比例弁２１３の開度を調整して上水を加熱する。設定温度まで加熱された各給湯装置の上水は、それぞれ出湯管２１０より出湯し、給湯管２２６、還流管２１５、循環ポンプ２１７、回収管２２０の循環経路を通って一巡し、再び各給湯装置に還流される。
【００４１】
さて、循環上水が設定温度にまで昇温すると、各給湯装置２０１〜２０３は燃焼を停止して待機状態になるが、循環ポンプ２１７による循環量はほぼ一定に保たれているため、主制御装置３００は各給湯装置の制御部３０１〜３０３に対して通水弁２０９を開くように命令を出し続けている。このため、設定温度まで昇温した上水は必ず各熱交換器２０７を通過して循環することになるが、この熱交換器を通過することにより逆に上水の熱が多量に外部に放出されてしまい、上水の温度は短時間のうちに低下してしまう。
【００４２】
この結果、各バーナ２１１は点火と停止を頻繁に繰り返し、加熱のための燃料消費量が多大になってしまうとともに、湯水が常に熱交換器を通るため、熱交換器に腐食等が発生しやすくなる。そこで、本発明では循環経路にバイパス管２１９と流路調整弁２１８を設け、循環する上水の温度に応じて循環する上水を還流管２１５側へバイパスするように構成している。
【００４３】
前記流路調整弁２１８は、図５に示すように、熱によって膨張・収縮するワックスを封入したサーモワックスエレメント３５０と、このサーモワックスエレメント３５０を内蔵した感熱部３５１と、押圧バネ３５５とを備え、感熱部３５１の外周には分流量を調整するための２つの弁体３５３、３５４が形成されている。そして、例えば前記サーモワックスエレメント３５０として５５℃〜７５℃の範囲で膨張・収縮するものを用い、給湯装置の設定温度を６５℃に設定し、感熱部３５１にて感熱する温度が６５℃を越えてくると感熱部３５１が上方へ移動し、６５℃よりも低下してくると感熱部３５１が下方へ移動するように、調整ネジ３５６を調整する。
【００４４】
弁内を通過する上水によって感熱部３５１が温められると、サーモワックスエレメント３５０が膨張してその先端の突き出しピン３５２が調整ねじ３５６を押し、押圧バネ３５５に抗して感熱部３５１を上方へ押し上げる。一方、上水の温度が低下すると、サーモワックスエレメント３５０が収縮してその突き出しピン３５２が引っ込み、押圧バネ３５５によって感熱部３５１を下方へ押し下げる。
【００４５】
したがって、上水の温度が上昇すれば、弁体３５４側が開いてＡ方向の流量が増え、上水の温度が低下すれば、弁体３５３側が開いてＢ方向への流量が増える。さらに、全ての給湯装置２０１〜２０３の燃焼が停止される程度まで上水の温度が高い場合には、循環される上水のほとんどが流路調整弁２１８でバイパスされ、回収管２２０側の流量が減少する。このため、高温時には上水の熱が熱交換器２０７から外部へ逃がされるようなことがなくなり、せっかく加熱した上水の温度が急激に低下するというようなことがなくなる。
【００４６】
前記の点についてさらに詳しく説明すると、給湯装置２０１〜２０３で加熱されて上水の温度が上昇すると、前記流路調整弁２１８の作用によって給湯装置２０１〜２０３に還流される上水量が減少する。主制御装置３００は、各給湯装置の入水量センサ２０６からの合計流量を演算し、合計入水量が１０リットル／分未満まで低下したら、第２及び第３給湯装置２０２、２０３の通水弁２０９を閉じて第２及び第３給湯装置２０２、２０３を停止させ、第１給湯装置２０１だけで加熱する。
【００４７】
そして、第１給湯装置２０１には循環する上水の温度と水量を入水温センサ２０５と入水量センサ２０６で常時検出させるために、上水の温度が設定温度に達してその燃焼を停止させる場合でも、通水弁２０９は閉止しないで開けたままにしておく。
【００４８】
やがて循環する上水の温度が低下してくると、流路調整弁２１８はＢ方向への還流量を増大させる。第１給湯装置２０１の入水量センサ２０６で検出される水量が１０リットル／分以上になると、第２給湯装置２０２が動作される。さらに、外部への出湯等によって出湯量が増え、第１及び第２給湯装置２０１、２０２にて検出される合計水量が２０リットル／分以上に増加したら、第３給湯装置２０３も動作させる。このようにして、燃料消費量を可能な限り少なくしながら、上水を効率的に加熱することができる。
【産業上の利用可能性】
【００４９】
本発明の給湯システムは、複数の給湯装置の運転台数を給湯需要に応じて調整でき、ホテル、病院、公共施設等の大型の給湯システムに適用できる。
【図面の簡単な説明】
【００５０】
【図１】本発明に係る給湯システムの一例を示す図である。
【図２】給湯システムの電気回路を示すブロック図である。
【図３】主制御装置及び外部リモコン装置の詳細な構成を示すブロック図である。
【図４】給湯装置の制御部の構成を示すブロック図である。
【図５】流路調整弁の構造を示す断面図である。
【符号の説明】
【００５１】
２００  給湯システム
２０１〜２０３  給湯装置
２０４  入水管
２０５  入水温センサ
２０６  入水量センサ
２０７  熱交換器
２０８  出湯温センサ
２０９  通水弁
２１０  出湯管
２１１  バーナ
２１５  還流管
２１７  循環ポンプ
２１８  流路調整弁
２１９  バイパス管
２２０  回収管
２２１  給水ポンプ
２２３  上水供給管
２２４  給水管
２２６  給湯管
２２７  蛇口
３００  主制御装置
３０１、３０２、３０３  給湯装置制御部
３０４  外部リモコン装置
３５０  サーモワックスエレメント
【図１】
2006078173.tif 000003
【図２】
2006078173.tif 000004
【図３】
2006078173.tif 000005
【図４】
2006078173.tif 000006
【図５】
2006078173.tif 000007